(57)【要約】【課題】  ユーザがその使用状況に応じて磁気テープの早送り／巻き戻し速度を簡易に設定することのできる磁気記録再生装置を提供する。【解決手段】  ビデオカセットテープ１７が磁気記録再生装置１０に挿入され入力操作部１４から早送り／巻き戻しの開始操作が入力されると、システムコントローラ１５はリールモータドライバ１２にユーザの入力に応じたリールモータ駆動の制御電圧あるいは電流を供給し、リールモータ１１ａを駆動するようにする。その際、設定状態を表示するためシステムコントローラ１５はユーザの入力をＯＳＤ１６に表示させるようにしている。【選択図】      図１
2005339749.tif 000002
【特許請求の範囲】
【請求項１】
磁気テープが巻回される供給リール及び巻き取りリールとそれぞれのリールを駆動する駆動手段と前記磁気テープを再生を伴わず高速走行状態に駆動する早送り巻き戻しポジションとを備え映像を記録再生する磁気記録再生装置であって、
前記早送り巻き戻しポジションにおける早送り巻き戻し速度を設定するために予め複数の早送り巻き戻し速度を記憶した記憶手段と、
前記記憶手段に記憶された複数の早送り巻き戻し速度を選択するための入力操作部と、
前記記憶手段に記憶された複数の早送り巻き戻し速度を前記磁気テープが所定以上の騒音レベルを発生した場合により低速に切り換える速度設定手段と、
前記入力操作部と速度設定手段とにより選択された早送り巻き戻し速度で前記駆動手段を駆動するための制御手段と、
前記入力操作部による操作状態を表示するための表示手段と、
を有したことを特徴とする磁気記録再生装置。
【発明の詳細な説明】
【技術分野】
【０００１】
本発明は、磁気テープの記録再生を行う磁気記録再生装置に関する。
【背景技術】
【０００２】
従来、磁気テープの記録再生を行う磁気記録再生装置としてビデオテープレコーダ（ＶＴＲ）やオーディオテープレコーダが各種実用化されている。このような磁気記録再生装置では、テープの早送り／巻き戻し機能が設けられている。
【０００３】
しかしながら、光ディスクあるいはハードディスクといった記録媒体に較べ、テープはランダムアクセス性に優れないため、テープの早送り／巻き戻しを超高速で行うことが提案されている。テープを超高速で早送り／巻き戻しすると、テープの停止時にテープの巻の緩みが発生するなどの問題が考えられ、これらを解決するためにテープの高速動作時から停止状態へ移行する制御を良好に行う提案がされている（例えば、特許文献１参照。）。
【０００４】
また、停止状態から高速動作に移行する場合にも上述の問題とは逆に、テープに急速な加速が加わるため、いわゆるハンチングが起こりテープに損傷を与えてしまうという問題があった。この問題を解決するため、テープが停止状態から高速動作に移行する制御を良好に行う提案がされている（例えば、特許文献２参照。）。
【０００５】
【特許文献１】特開平５−４０９９０号公報
【特許文献２】特開２００１−９３２０７公報
【０００６】
ところで、上述の特許文献１及び２の提案によれば、テープの超高速動作時に発生するテープ損傷を抑えることは解決できるが、一般的にテープ動作が高速であるほどメカ騒音は大きくなり、テープ動作速度とメカ騒音とは相反する関係にある。上述の特許文献１及び２の提案ではメカ騒音が大きくなってしまうという問題があった。
【発明の開示】
【発明が解決しようとする課題】
【０００７】
本発明は、以上の点に鑑みなされたもので、ユーザがその使用状況に応じて磁気テープの記録再生を行う磁気記録再生装置におけるテープの早送り／巻き戻し速度を簡易に設定することのできる磁気記録再生装置を提供することを目的とする。
【課題を解決するための手段】
【０００８】
本発明は、上記課題を解決するために、以下に記載手段よりなる。
すなわち、
磁気テープが巻回される供給リール及び巻き取りリールとそれぞれのリールを駆動する駆動手段と前記磁気テープを再生を伴わず高速走行状態に駆動する早送り巻き戻しポジションとを備え映像を記録再生する磁気記録再生装置であって、
前記早送り巻き戻しポジションにおける早送り巻き戻し速度を設定するために予め複数の早送り巻き戻し速度を記憶した記憶手段と、
前記記憶手段に記憶された複数の早送り巻き戻し速度を選択するための入力操作部と、
前記記憶手段に記憶された複数の早送り巻き戻し速度を前記磁気テープが所定以上の騒音レベルを発生した場合により低速に切り換える速度設定手段と、
前記入力操作部と速度設定手段とにより選択された早送り巻き戻し速度で前記駆動手段を駆動するための制御手段と、
前記入力操作部による操作状態を表示するための表示手段と、
を有したことを特徴とする磁気記録再生装置。
【発明の効果】
【０００９】
本発明の「磁気記録再生装置」によれば、ユーザがその使用状況に応じて磁気記録再生装置におけるテープの早送り／巻き戻し速度を簡易に設定することができるようにしたので、速度優先高速早送り／巻き戻し動作選択、静寂性優先低速早送り／巻き戻し動作選択、あるいは速度静寂性から好みの動作選択が可能となり利便性の高い磁気記録再生装置を提供することができる。
【発明を実施するための最良の形態】
【００１０】
以下、本発明に係る磁気記録再生装置の発明を実施するための最良の形態につき、好ましい実施例により説明する。
図１は本実施例に適用される磁気記録再生装置のリールモータ駆動の要部構成を示した概略ブロック図である。本実施例ではビデオテープレコーダ（ＶＴＲ）を例に説明する。同図に示すように磁気記録再生装置１０は、リールモータ１１ａ，ＦＧ（Frequency Generator）１１ｂで構成されるリールモータ装置１１、リールモータドライバ１２、ＦＧアンプ１３、入力操作部１４、システムコントローラ１５、ＯＳＤ（On Screen Display）
１６から構成されている。
【００１１】
ビデオカセットテープ１７が磁気記録再生装置１０に挿入され入力操作部１４から早送り／巻き戻しの開始操作が入力されると、システムコントローラ１５はリールモータドライバ１２にリールモータ駆動の制御電圧あるいは電流を供給し、リールモータ１１ａを駆動する。リールモータ１１ａには図示しないＦＧパターンが設けられており、リールモータ１１ａが回転するとその回転数に応じてＦＧ１１ｂによりパルス信号を発生する。ＦＧアンプ１３でこのパルス信号を増幅した後システムコントローラ１５に供給する。システムコントローラ１５はこの増幅されたパルス信号をカウントし入力操作部１４により入力された早送り／巻き戻しの設定速度になるようリールモータドライバ１２にリールモータ駆動の制御電圧あるいは電流を供給するようにしている。
【００１２】
また、このときシステムコントローラ１５は入力操作部１４での設定をユーザが容易に行えるようＯＳＤ１６により外部出力に後述するメニュー画面を表示させるようにしている。
【００１３】
以下、早送り／巻き戻しの動作について詳細に説明する。一般的に磁気記録再生装置には、テープの端部を検出するためのエンドセンサ及びテープ側にはエンドセンサの検出方法に対応して、光透過性の部分などのエンド部分が設けられている。本発明は、再生動作を伴わない早送り／巻き戻し動作についてのものであり、テープが端部にある場合は、当然早送り／巻き戻しの動作はどちらか一方しかできないものであるので、これらの場合を除き、本発明が課題としている部分の動作を説明する。
【００１４】
まず、巻き戻し動作から説明する。図２は、本実施例に適用される磁気記録再生装置の巻き戻し操作の手順を説明するためのフローチャートの一例を示したものである。入力操作部１４より巻き戻し操作が入力されると、磁気記録再生装置１０に挿入されたビデオカセットテープ１７が停止状態にあるかどうかを検出する（Ｓ２０）。ビデオカセットテープ１７が停止状態にある（Ｓ２０Ｙｅｓ）場合、低速巻き戻しモードに移行する（Ｓ２３）。ビデオカセットテープ１７が停止状態にない（Ｓ２０Ｎｏ）場合、早送り状態にあるかどうかを検出する（Ｓ２１）。
【００１５】
次に、早送り状態にある（Ｓ２１Ｙｅｓ）場合、低速巻き戻しモードに移行する（Ｓ２３）。早送り状態にない（Ｓ２１Ｎｏ）場合、低速巻き戻し状態にあるかどうかを検出する（Ｓ２４）。低速巻き戻し状態にある（Ｓ２４Ｙｅｓ）場合、高速巻き戻しモードに移行する（Ｓ２６）。低速巻き戻し状態にない（Ｓ２４Ｎｏ）場合、低速巻き戻しモードに移行する（Ｓ２５）。
【００１６】
このように制御することにより、巻き戻し動作を行う場合停止状態において巻き戻し操作入力を行うことにより低速巻き戻し状態に移行する。なおさら巻き戻し操作入力を行うことにより巻き戻し速度を高速巻き戻し状態に移行することができるようにしている。高速巻き戻し状態にある場合には、なおさら巻き戻し操作入力を行うことにより巻き戻し速度を低速巻き戻し状態に移行することができるようにしている。
【００１７】
次に、早送り動作について説明する。図３は、本実施例に適用される磁気記録再生装置の早送り操作の手順を説明するためのフローチャートの一例を示したものである。入力操作部１４より早送り操作が入力されると、磁気記録再生装置１０に挿入されたビデオカセットテープ１７が停止状態にあるかどうかを検出する（Ｓ３０）。ビデオカセットテープ１７が停止状態にある（Ｓ３０Ｙｅｓ）場合、低速早送りモードに移行する（Ｓ３３）。ビデオカセットテープ１７が停止状態にない（Ｓ３０Ｎｏ）場合、巻き戻し状態にあるかどうかを検出する（Ｓ３１）。
【００１８】
次に、巻き戻し状態にある（Ｓ３１Ｙｅｓ）場合、低速早送りモードに移行する（Ｓ３３）。巻き戻し状態にない（Ｓ３１Ｎｏ）場合、低速早送り状態にあるかどうかを検出する（Ｓ３４）。低速早送り状態にある（Ｓ３４Ｙｅｓ）場合、高速早送りモードに移行する（Ｓ３６）。低速早送り状態にない（Ｓ３４Ｎｏ）場合、低速早送りモードに移行する（Ｓ３５）。
【００１９】
このように制御することにより、早送り動作を行う場合停止状態において早送り操作入力を行うことにより低速早送り状態に移行する。なおさら早送り操作入力を行うことにより早送り速度を高速早送り状態に移行することができるようにしている。高速早送り状態にある場合には、なおさら早送り操作入力を行うことにより早送り速度を低速早送り状態に移行することができるようにしている。
【００２０】
図４に上述の手順をユーザに示すＯＳＤ表示の一例を示す。磁気記録再生装置１０が８段階の早送り／巻き戻しの設定速度が夫々８段階ある場合を示している。上述の説明では、その速度設定については、早送り／巻き戻し操作ボタンとは別に設定する手順としたが、、早送り／巻き戻し操作ボタンを押すたびに順次速度設定が変化するよう構成してもよい。
【００２１】
図５に早送り／巻き戻しの設定テーブルの一例を示す。同図に示すようにＯＳＤにより表示された速度設定に対応して８段階のテーブルを用意した例である。低速設定と高速設定とで定数を設け乗算するようにしており、８段階のテーブルで夫々低速設定と高速設定の速度をカバーできるようにしている。
【００２２】
上述の説明においては、早送り／巻き戻し開始時点では必ず低速モードに移行する手順としたが、予めユーザ設定しておいた早送り／巻き戻し速度になるよう制御を行う手順としてもよい。この場合、一度早送り／巻き戻し操作入力を行うだけで設定速度での早送り／巻き戻しが可能となる。
【図面の簡単な説明】
【００２３】
【図１】本実施例に適用される磁気記録再生装置のリールモータ駆動の要部構成を示した概略ブロック図である。
【図２】本実施例に適用される磁気記録再生装置の巻き戻し操作の手順を説明するためのフローチャートの一例である。
【図３】本実施例に適用される磁気記録再生装置の早送り操作の手順を説明するためのフローチャートの一例である。
【図４】本実施例に適用される設定速度の手順をユーザに示すＯＳＤ表示の一例である。
【図５】本実施例に適用される早送り／巻き戻しの設定テーブルの一例を示した図である。
【符号の説明】
【００２４】
１０…磁気記録再生装置
１１…リールモータ装置
１１ａ…リールモータ
１１ｂ…ＦＧ（Frequency Generator）
１２…リールモータドライバ
１３…ＦＧアンプ
１４…入力操作部
１５…システムコントローラ
１６…ＯＳＤ（On Screen Display）
１７…ビデオカセットテープ
【図１】
2005339749.tif 000003
【図２】
2005339749.tif 000004
【図３】
2005339749.tif 000005
【図４】
2005339749.tif 000006
【図５】
2005339749.tif 000007